(57)【特許請求の範囲】
【請求項１】
対象物を入れるための内装用ケースと、
前記内装用ケースを入れるための外装用ケースと、
前記内装用ケースに設けられ、前記対象物の情報を読み取り不能とするための第１の電気回路と、
前記外装用ケースに設けられ、前記外装用ケースが封じられている場合に電流が流れる第２の電気回路と、
利用者を認証した認証信号を受信せず、かつ前記第２の電気回路に電流が流れていない場合に、前記対象物の情報を読み取り不能とするために、前記第１の電気回路に電流を流す給電部と、
を具備することを特徴とする収容体。
【請求項２】
前記収容体は、電流が流れた前記第１の電気回路の発熱により、前記対象物の情報を読み取り不能とすることを特徴とする請求項１記載の収容体。
【請求項３】
前記内装用ケースはインク層とフィルム層を備え、電流が流れた前記第１の電気回路の発熱でフィルム層が溶けることにより、インク層のインクが内装用ケースの内部に漏出することを特徴とする請求項１または請求項２に記載の収容体。
【請求項４】
前記対象物は情報を記録する磁気媒体を備え、
前記第１の電気回路は、前記磁気媒体に接する端子を有することを特徴とする請求項１から請求項３のいずれかに記載の収容体。
【請求項５】
利用者の指紋情報を記憶する記憶部と、
利用者の指紋を読み取る指紋読取部と、
前記記憶部に記憶した指紋情報と前記指紋読取部で読み取った指紋の情報を比較し、これらが一致する場合に、前記給電部に利用者を認証した認証信号を送信する判定部と、
を更に備えることを特徴とする請求項１から請求項４のいずれかに記載の収容体。
【請求項６】
前記外装用ケースは封筒状であることを特徴とする請求項１から請求項５のいずれかに記載の収容体。
【発明の詳細な説明】
【技術分野】
【０００１】
本発明は収容体に関する。より詳しくは、重要性の高い原稿やメディアを移送・保管するための収容体に関する。
【背景技術】
【０００２】
ＩＣキャッシュカードなどの重要性の高いメディア、あるいは重要性の高い書類等を保管する方法としては、金庫や鍵付きのキャビネットに保管したり、これを移送する際には、書留や、セキュリティ性の高い宅配便を利用したりすることがある。
【０００３】
しかし、保管の際の金庫やキャビネットは本人でなくても開くことができる場合もあり、こじ開けるなどして内容物の情報を入手することも可能ではある。また、移送の際の盗難や本人以外の開封により内容物の情報が入手される危険も無いわけではない。このように、必ずしも内容物の情報の漏洩が防止されるとは限らない。
【０００４】
内容物の情報の漏洩を防止する方法の一つとして、他者による開封等を抑制することが考えられる。例えば、開封されているかどうかを通信器による通信の可否により検出できる収納具（特許文献１参照）や、開封済みがわかるシール等も考え出されており、これを封印に用いることで、他者による開封等を抑制することが可能である。
【先行技術文献】
【特許文献】
【０００５】
【特許文献１】特開２００８−１４０１４６号公報
【発明の概要】
【発明が解決しようとする課題】
【０００６】
しかしながら、上記の場合でも、他者に開封されてしまった場合には、容易に内容物である書類やメディアの情報を入手することができてしまい、脆弱な面も存在する。
【０００７】
例えば、上記の場合、内容物が閲覧等されてしまったかどうかを開封の状態で判断するか、あるいは開封されたことを知ることができ、対策を講じることができる。しかし、それがわかった時点では他者に情報が漏洩している可能性が高く、内容物の情報を本人以外が知りえないものとすることが難しい。
【０００８】
本発明は、上記の問題点に鑑みてなされたもので、利用者以外への内容物の情報の漏洩を防止することが可能な収容体等を提供することを目的とする。
【課題を解決するための手段】
【０００９】
前述した目的を達するために第１の発明は、対象物を入れるための内装用ケースと、前記内装用ケースを入れるための外装用ケースと、前記内装用ケースに設けられ、前記対象物の情報を読み取り不能とするための第１の電気回路と、前記外装用ケースに設けられ、前記外装用ケースが封じられている場合に電流が流れる第２の電気回路と、利用者を認証した認証信号を受信せず、かつ前記第２の電気回路に電流が流れていない場合に、前記対象物の情報を読み取り不能とするために、前記第１の電気回路に電流を流す給電部と、を具備することを特徴とする収容体である。
【００１０】
前記収容体は、電流が流れた前記第１の電気回路の発熱により、前記対象物の情報を読み取り不能とすることができる。例えば、前記内装用ケースはインク層とフィルム層を備え、電流が流れた前記第１の電気回路の発熱でフィルム層が溶けることにより、インク層のインクが内装用ケースの内部に漏出するようにするものとすることができる。
【００１１】
また、前記対象物は情報を記録する磁気媒体を備え、前記磁気媒体に接する前記第１の電気回路の端子を介して前記磁気媒体に電流を流すことにより、前記対象物の情報を読み取り不能とするようにすることもできる。
【００１２】
また、第１の発明の収容体は、利用者の指紋情報を記憶する記憶部と、利用者の指紋を読み取る指紋読取部と、前記記憶部に記憶した指紋情報と前記指紋読取部で読み取った指紋の情報を比較し、これらが一致する場合に、前記給電部に利用者を認証した認証信号を送信する判定部とを更に備えるものとできる。
また、前記外装用ケースは例えば封筒状である。
【００１３】
上記構成により、利用者の認証がない場合に、収容体の外装用ケースが破られるなどして第２の電気回路が断線等し電流が流れない状態となった場合には、対象物を入れた内装用ケースに設けられた第１の電気回路に電流が流れ、これにより対象物の情報を読み取り不能とすることができる。外装用ケースが破られることにより、情報の読取自体を不可とするので、利用者以外の他者による情報の入手を防ぐことができる。
【００１４】
収容体は、電流が流れた第１の電気回路の発熱により、対象物の情報を読み取り不能とすることができる。例えばＣＤやＤＶＤ、ＩＣカード等のプラスチック媒体の場合、第１の電気回路の発熱によりこれを溶かし変形させることができる。その他、例えば対象物が重要書類等の紙媒体である場合には、内装用ケースにインク層とフィルム層を設けておき、電流が流れた第１の電気回路の発熱によりフィルム層を溶かし、インク層のインクを内装用ケースの内部に漏出させ対象物を汚すことにより、紙媒体に記載された情報を読み取り不能とすることができる。また、対象物の磁気媒体に情報が記録されている場合などでは、当該磁気媒体に、第１の電気回路により直接電流を流すことで、磁気媒体に記録された情報を読み取り不能とすることができる。
【００１５】
また、認証信号は、利用者を認証した外部の認証装置から給電部に送られるものであってもよいが、収容体に利用者の指紋情報を記憶する記憶部と、利用者の指紋を読み取る指紋読取部と、記憶部に記憶した指紋情報と指紋読取部で読み取った指紋の情報を比較し、これらが一致する場合に、給電部に利用者を認証した認証信号を送信する判定部とを更に設けることにより、外部の認証装置を用いず利用者の認証を容易とするとともに収容体の構成をコンパクトとすることができる。また、外装用ケースを例えば封筒状とすることにより、移送の際の利便性を高めることができる。
【発明の効果】
【００１６】
本発明により、利用者以外への内容物の情報の漏洩を防止することが可能な収容体等を提供することができる。
【図面の簡単な説明】
【００１７】
【図１】収容体１の構成を示す図
【図２】内装用ケース３、外装用ケース５について示す図
【図３】内装用ケース３、外装用ケース５の層構成を示す図
【図４】外装用ケース５の別の例を示す図
【図５】リレー回路１３を説明する図
【図６】収容体１の利用方法の流れを示す図
【図７】収容体１ａの構成を示す図
【発明を実施するための形態】
【００１８】
以下図面を参照しながら、本発明の収容体の実施形態について説明する。図１は、第１の実施形態の収容体１の構成の概略を示す図である。第１の実施形態の収容体１は、移送、保管等の対象物を重要書類等の紙媒体とする例である。
【００１９】
図１に示すように、第１の実施形態の収容体１は、内装用ケース３、外装用ケース５、指紋読取部９、電源部１１、リレー回路１３、メモリ１５、制御部１７等より構成される。電源部１１、リレー回路１３、メモリ１５、制御部１７は、回路基盤１９上に設けられる。内装用ケース３、回路基盤１９等は、外装用ケース５の内部に挿入される。
【００２０】
内装用ケース３は、重要書類等、移送、保管等の対象となる対象物を挿入、収容するための袋体である。
外装用ケース５は、内装用ケース３等を挿入、収容し、これを封じるための袋体である。本実施形態では、外装用ケース５は長方形状の本体部分とベロ部分で構成される封筒状の形状を有し、これにより郵送等、移送時の利便性を高めることができる。但し、その形状はこれに限ることはない。
【００２１】
図２を用いて、内装用ケース３および外装用ケース５について説明する。図２（ａ）は外装用ケース５の内部に収容される内装用ケース３、回路基盤１９等を示す図である。図２（ｂ）は外装用ケース５の内部を示す図である。図２（ａ）、図２（ｂ）は、外装用ケース５の本体部分５ａを短辺方向に展開した図である。なお、図２（ａ）では外装用ケースに設ける電気回路の図示を省略し、図２（ｂ）では内装用ケース３、回路基盤１９等の図示を省略している。また、図２（ｃ）は外装用ケース５の封緘を示す図である。
【００２２】
図１、図２（ａ）に示すように、内装用ケース３の内側には、導線４による電気回路（第１の電気回路）が梯子状に設けられる。導線４による電気回路は回路基盤１９の電源部１１にリレー回路１３を介して接続される。
【００２３】
図３（ａ）は、袋体である内装用ケース３の外皮部分の層構造を示す図である。図３（ａ）に示すように、内装用ケース３の外皮部分は、重要書類等の内容物を挿入する内側（図３（ａ）では下方）から順に内側層２１、中間層２３、外側層２５の３層で構成される。内側層２１はアルミの導線４が梯子状に形成された、熱により溶解するポリエチレン等のフィルム層である。中間層２３は熱により溶解するポリエチレン等のフィルム層でインクを保持するインク層であり、内側層２１に接着加工される。内装用ケース３の外側に対応する外側層２５は、熱に強い耐熱性のフィルム層が蒸着される。
【００２４】
梯子状の導線４が形成される内側層２１については、印刷技術を利用して、アルカリ性溶液に強い耐アルカリ性の透明保護インキを、アルミを予め蒸着したフィルム層の、内側層２１の梯子状の導線４に対応する部分に印刷し、アルカリ性溶液にこのフィルム層を漬けることにより、耐アルカリ性の透明保護インキが印刷されていない部分のアルミを溶かして洗い流し、透明保護インキを洗浄により除去してすることにより、梯子状の導線４による電気回路が形成された内側層２１が作成される。なお、導線４による電気回路の形成はこれによらず既知の他の方法を用いてもよく、導線４としてアルミにかえて銅やニクロム線を用いてもよい。また、導線４は梯子状に配置するものに限ることはなく、様々な配置形状としてよい。
【００２５】
導線４による電気回路は、回路基盤１９のリレー回路１３を介して電源部１１に接続され、リレー回路１３により後述する所定の条件で電流が流される。導線４による電気回路に電流が流れると電熱効果により熱が発生し、この熱で内側層２１、中間層２３のフィルムが溶けて中間層２３のインクが漏出する。
【００２６】
また、図２（ａ）に示すように、外装用ケース５のベロ部分５ｂには端子１４、および指紋読取部９が設けられ、指紋読取部９および端子１４は、導線１２を介して回路基盤１９上の電源部１１に接続される。また、指紋読取部９と回路基盤１９上の制御部１７が信号線１０で接続される。
【００２７】
図２（ｂ）に示すように、外装用ケース５の内側にも、内装用ケース３と同様、導線６による電気回路（第２の電気回路）が設けられる。導線６は、外装用ケース５の本体部分５ａの内側で、渦巻状に、外装用ケース５の長辺方向や短辺方向に設けられる。また、導線６による電気回路には端子８が設けられ、端子８は外装用ケース５の外側に露出している。
【００２８】
図３（ｂ）は、袋体である外装用ケース５の外皮部分の層構造を示す図である。図３（ｂ）に示すように、外装用ケース５の外皮部分は、内装用ケース３を挿入する内側（図３（ｂ）では下方）から順に内側層５１、外側層５３の２層で構成される。内側層５１はアルミの導線６が形成されたフィルム層などである。外装用ケース５の外側に対応する外側層５３は、紙材等であり、内側層５１に接着加工される。なお、図３（ｂ）では、内側層５１のフィルム層の導線６が形成された側を外側層５３に対向させて接着しているが、これは、外装用ケース５の内側に導線６が露出し、外装用ケース５の内側で配線が短絡しないようにするためである。但し、配線が短絡するか否かは配線の形状により、例えば図２（ａ）に示すような内装用ケース３の配線の形状では、配線の短絡は起こらないので、（図３（ａ）で示すように）導線が内側に露出していてもよい。
【００２９】
渦巻状の導線６が形成される内側層５１については、前述の内装用ケース３の内側層２１と同様、印刷技術を利用して、アルカリ性溶液に強い耐アルカリ性の透明保護インキを、アルミを予め蒸着したフィルム層の、内側層５１の渦巻状の導線６に対応する部分に印刷し、アルカリ性溶液にこのフィルム層を漬けることにより、耐アルカリ性の透明保護インキが印刷されていない部分のアルミを溶かして洗い流し、透明保護インキを洗浄により除去することにより、渦巻状の導線６による電気回路が形成された内側層５１が作成される。なお、前述の内装用ケース３の内側層２１と同様、導線６による電気回路の形成はこれによらず既知の他の方法を用いてもよく、導線６としてアルミにかえて銅やニクロム線を用いてもよい。また、導線６は渦巻状に配置するものに限ることはなく、様々な配置形状としてよい。
【００３０】
図４は外装用ケース５の導線６の別の例である。図４（ａ）は図２（ｂ）と同じく外装用ケース５の本体部分５ａを短辺方向に展開した図、図４（ｂ）は外装用ケース５の外皮部分の層構造を示す図である。図４（ａ）、図４（ｂ）に示すように、外側層５３に対して内側に位置する内側層５２には、梯子状の導線６がその方向をかえて２層に構成されている。梯子状の導線６が形成される内側層５２については、上記と同じく、印刷技術を利用して、アルカリ性溶液に強い耐アルカリ性の透明保護インキを、アルミを予め蒸着したフィルム層の、一の方向の向きの梯子状の導線６に対応する部分に印刷し、アルカリ性溶液にこのフィルム層を漬けることにより、耐アルカリ性の透明保護インキが印刷されていない部分のアルミを溶かして洗い流し、透明保護インキを洗浄により除去して内側層５２の一層目５２ａをまず作成する。一層目５２ａには、上記一の方向の向きの梯子状の導線６が形成されている。さらに、同様の方法で、一層目５２ａとは異なる方向の向きの梯子状の導線６が形成された第２層目５２ｂを作成する。この２層５２ａ、５２ｂを、２層５２ａ、５２ｂの導線６を端子８に接続しつつ、フィルム層に導線６を形成した側を外装用ケース５の外側層５３に向けた状態で接着加工することにより、異なる向きの２層の梯子状の導線６による電気回路が形成された内側層５２が作成される。このように、回路形成としては、縦からでも横からでも不当に外装用ケース５が破られた場合に回路の一部が破損されることが保証できる回路が形成されていればよい。
【００３１】
外装用ケース５の封緘時には、図２（ｃ）の方向Ａで示すように、外装用ケース５の本体部５ａで外側に露出する端子８とベロ部分５ｂの端子１４の位置を合わせつつ、ベロ部分５ｂを本体部分５ａと接着することにより、導線６による電気回路が電源部１１に接続され、電源部１１により導線６に電流を流すことができる。一方、導線６による電気回路に電流が流れている状態で、ベロ部分５ｂを剥がす、あるいは本体部分５ａを縦方向や横方向に切断し破ると、端子８と端子１４の接触状態が解除される、あるいは導線６が切断されるなどして配線が断たれ、導線６による電気回路に電流が流れない状態になる。
【００３２】
収容体１の説明に戻る。
電源部１１は、内装用ケース３の導線４による電気回路および指紋読取部９、さらには収容体１の封緘時には外装用ケース５の導線６による電気回路と接続し、これらに電力を供給可能である。
メモリ１５は、利用者の指紋情報を予め記憶する記憶部として機能する。
制御部１７は、ＣＰＵ、ＲＡＭ、ＲＯＭ等を備え、指紋読取部９による指紋読取を制御するとともに、指紋読取部９で読み取った指紋の情報とメモリ１５に記憶した指紋情報を比較し、同一かどうかの判定を行う判定部として機能する。判定手法は既知のものを用いることができ、これらが同一である場合、信号線を介してリレー回路１３の後述するフリップフロップ３５に利用者を認証したことを示す認証信号を送信する。
【００３３】
リレー回路１３は電源部１１と接続し、電源部１１とともに、所定の条件で内装用ケース３の導線４による電気回路に電流を流す給電部として機能する。図５は回路基盤１９のリレー回路１３の例である。リレー回路１３は、抵抗３１、コンパレータ３３、フリップフロップ３５、リレー３７等が接続されて構成される。
【００３４】
リレー回路１３の動作を説明すると、電源部１１（本実施形態では５Ｖ）により外装用ケース５の導線６による電気回路に電流が流れている間には、端子３２は抵抗３１により若干電圧を落とすが、端子３２、端子３４に電圧がある場合には、コンパレータ３３からの出力はない。一方、外装用ケース５について、ベロ部分５ａが剥がされたり、本体部分５ａが破られるなどして、導線６の切断等の原因により、外装用ケース５の電気回路に電流が流れなくなると、端子３２の電圧が０になる。
【００３５】
このとき、コンパレータ３３からは電源部１１による所定の電圧値（本実施形態では５Ｖ）の出力を得るようになっている。一方、フリップフロップ３５はコンパレータ３３と端子Ａで接続するとともに端子Ｂに制御部１７から信号線が接続されており、制御部１７から前述の認証信号を受信しておらず、かつフリップフロップ３５で図に示す端子Ａに上記の電圧がかかる場合、図に示す端子Ｑからの信号により、フリップフロップ３５と接続するリレー３７でリレースイッチが入る。リレー３７でリレースイッチが入ると、内装用ケース３の内側層２１、中間層２３のフィルムを熱により溶かすために必要な、電源部１１による電圧が内装用ケース３の導線４による電気回路にかかり、内装用ケース３の電気回路に電流が流れるようになっている。
【００３６】
指紋読取部９は、例えば指紋読取のための画像センサ等を備え、読み取った指紋画像データ等の指紋の情報を制御部１７に送信するもので、既知のものを用いることができる。
【００３７】
次に、本実施形態の収容体１の利用手順を図６を参照して説明する。
【００３８】
まず、利用者は、予め指紋を指紋読取部９に読み取らせ、メモリ１５に利用者の指紋情報を登録する（ステップＳ１０１）。
【００３９】
そして、移送、保管等の対象物である重要書類等の紙媒体を入れた内装用ケース３等を外装用ケース５に入れ、端子８と端子１４の位置を合わせつつ、図２（ｃ）に示すように外装用ケース５のベロ部分５ｂと本体部分５ａを接着し、外装用ケース５を封じる（ステップＳ１０２）。これにより、外装用ケース５の導線６による電気回路が回路基盤１９上の電源部１１に接続され、外装用ケース５の電気回路に電流が流れる（ステップＳ１０３）。
【００４０】
この状態で、収容体１を移送、あるいは保管等する。収容体１を受け取った利用者は、指紋を指紋読取部９に読み取らせる。制御部１７は、指紋読取部９で読み取った指紋の情報がメモリ１５に記憶した指紋情報と一致した場合に利用者本人であることを認証し（ステップＳ１０４のＹＥＳ）、信号線を介してリレー回路１３のフリップフロップ３５に利用者を認証した認証信号を送信する（ステップＳ１０５）。フリップフロップ３５が認証信号を受信し、リレー回路１３により、外装用ケース５の導線６による電気回路に電流が流れなくなっても、内装用ケース３の導線４による電気回路に電流が流れない状態となっているので、この状態で利用者は外装用ケース５を開封し（ステップＳ１０６）、対象物を取り出すことができる。
【００４１】
一方、指紋読取部９で読み取った指紋の情報がメモリ１５に登録した指紋情報と異なる、あるいは指紋の読取自体を行なっていない等、利用者の認証を行なわない間（ステップＳ１０４のＮＯ）、外装用ケース５のベロ部分５ｂが本体部分５ａから剥がされる、本体部分５ａ等が切断されるなど、外装用ケース５が破られ（ステップＳ１０７のＹＥＳ）、外装用ケース５の導線６による電気回路に電流が流れなくなると、上記のリレー回路１３により、内装用ケース３の導線４による電気回路に電流が流れる（ステップＳ１０８）。すると、電熱効果により、内装用ケース３の内側層２１、中間層２３のフィルムが溶かされ、中間層２３のインクが内装用ケース３の内部に漏出してこれを満たし、対象物である紙媒体がインクで汚される。これにより対象物の情報が読み取り不能となる（ステップＳ１０９）。
【００４２】
このように、利用者以外に収容体１が開封された場合に、対象物の情報の読み取り自体をできなくし、対象物の情報の漏洩を防ぐことができる。なお、収容体１は、利用者認証が行なわれたうえで外装用ケース５が開封され（ステップＳ１０６）、外装用ケース５の電気回路に電流が流れない状態となった場合には内装用ケース３の電気回路に電流を流さないように構成されるとともに、利用者認証を行なわず外装用ケース５が破られ（ステップＳ１０７のＹＥＳ）、外装用ケース５の電気回路に電流が流れない状態となった場合には内装用ケース３の電気回路に電流を流す（ステップＳ１０８）ように構成されればよく、その方法は上記したリレー回路１３によるものに限らない。また、外装用ケース５が切断等される（ステップＳ１０７のＹＥＳ）とほぼ同時に内装用ケース３が切断等されると、外装用ケース５の電気回路の断線とほぼ同時に内装用ケース３の電気回路が断線する可能性があり、この場合ステップＳ１０８で内装用ケース３の電気回路に電流が流れる時間が短くなる。これを防ぐため、内装用ケース３の材質として、その強度が、外装用ケース５の材質の強度より高いものを用いることも好ましい。
【００４３】
なお、情報の漏洩を防ぐ方法は、第１の実施形態のようにインクにより紙媒体を汚すものに限らない。ステップＳ１０９において別の方法により対象物の情報の漏洩を防ぐ第２の実施形態の収容体の例が、図７に示す収容体１ａである。
【００４４】
収容体１ａは、磁気媒体であるＩＣチップを有するプラスチック媒体であるＩＣカードを内装用ケース３に挿入、収容する対象物とし、情報の漏洩を防ぐために、利用者認証を行なわず外装用ケース５が破られた場合（図６のステップＳ１０７のＹＥＳ）に、対象物の情報を読み取り不能とするものである。
【００４５】
図７に示すように、収容体１ａは、内装用ケース３ａ、外装用ケース５、指紋読取部９、電源部１１、リレー回路１３、メモリ１５、制御部１７等より構成される。電源部１１、リレー回路１３、メモリ１５、制御部１７は、回路基盤１９上に設けられる。内装用ケース３ａ、回路基盤１９等は、外装用ケース５の内部に挿入、収容される。内装用ケース３ａ以外の構成は、第１の実施形態の収容体１と略同様であるので、図には同じ番号を付し、説明を省略する。
【００４６】
本実施形態では、内装用ケース３ａの内側に、ニクロム線等の発熱性の高い金属による導線４２をコイル状に配置するとともに、一端に端子４５を有する導線４３を配置した電気回路を内装用ケース３ａの内側に設ける。電気回路は例えば導線４２、導線４３を並列に接続して構成され、回路基盤１９の電源部１１にリレー回路１３を介して接続される。導線４２、４３は、例えば図３で説明した導線４等と同様の方法、あるいは既知の別の方法で内装用ケース３ａに形成することができる。
なお、本実施形態ではインクを内装用ケース３の内部に漏出させないので、内装用ケース３ａの層構成としては図３（ａ）で説明したインク層等は不要である。
【００４７】
導線４２、導線４３による電気回路（第１の電気回路）には、第１の実施形態と同様のリレー回路１３により、利用者認証を行なわず、かつ外装用ケース５の電気回路が断線等し電流が流れなくなった場合に、電流が流れるようにしておく。
【００４８】
収容体１ａの利用方法は、図６で説明したものとほぼ同様であるが、図７に示す収容体１ａでは、図６に示すステップＳ１０１において、内装用ケース３ａに、ＩＣチップ部分が端子４５に接するように、対象物であるＩＣカードを挿入、配置する。利用者認証を行なわず外装用ケース５が破られた場合（図６のステップＳ１０７のＹＥＳ）、第１の実施形態と同様、図６のステップＳ１０８において内装用ケース３の導線４２、４３による電気回路に電流が流される。電流を流したことによる電気回路の発熱により、プラスチックのカード本体や磁気媒体部を変形させるとともに、磁気媒体であるＩＣチップそのものに導線４３、端子４５を介して電流を流すことによりＩＣチップ自体を破壊し、ＩＣカードの情報を読み取り不能とすることができる（図６のステップＳ１０９）。
【００４９】
これにより、前述の実施形態の収容体１と同様の効果が得られる。なお、必要に応じて導線４２、あるいは導線４３等は省略してもよい。例えばＣＤ−ＲＯＭ、ＤＶＤ−ＲＯＭ等の磁気媒体部を有しないプラスチック製の記録媒体であれば、導線４３、端子４５は省略可能である。
【００５０】
以上説明したように、本発明の実施形態によれば、利用者の認証がない場合に、収容体の外装用ケースが破られるなどして外装用ケースに設けた電気回路が断線等し電流が流れない状態となった場合には、対象物を入れた内装用ケースに設けられた電気回路に電流が流れ、これにより対象物の情報を読み取り不能とすることができる。外装用ケースが破られることにより、情報の読取自体を不可とするので、利用者以外の他者による情報の取得を防ぐことができる。
【００５１】
収容体は、電流が流れた内装用ケースの電気回路の発熱により、対象物の情報を読み取り不能とすることができる。例えばＣＤやＤＶＤ、ＩＣカード等のプラスチック媒体の場合、内装用ケースの電気回路の発熱によりこれを溶かし変形させることができる。また、例えば対象物が重要書類等の紙媒体である場合には、内装用ケースにインク層とフィルム層を設けておき、電流が流れた内装用ケースの電気回路の発熱によりフィルム層を溶かし、インク層のインクを内装用ケースの内部に漏出させ対象物を汚すことにより、紙媒体に記載された情報を読み取り不能とすることができる。また、ＩＣカードなど、対象物のＩＣチップ等の磁気媒体に情報が記録されている場合などでは、当該磁気媒体に、内装用ケースの電気回路により直接電流を流すことで、磁気媒体に記録された情報を読み取り不能とすることができる。
【００５２】
また、収容体に利用者の指紋情報を記憶するメモリと、利用者の指紋を読み取る指紋読取部と、メモリに記憶した指紋情報と指紋読取部で読み取った指紋の情報を比較し、これらが一致する場合に、リレー回路に利用者を認証した認証信号を送信する制御部とを更に設けることにより、外部の認証装置を用いず利用者の認証を容易とするとともに収容体の構成をコンパクトとすることができる。また、外装用ケースを例えば封筒状とすることにより、移送の際の利便性を高めることができる。
【００５３】
以上、添付図面を参照しながら、本発明に係る収容体等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【００５４】
例えば、本発明の実施形態では、本人認証に用いる認証装置として指紋読取部等を組み込んだ形のものを示したが、認証装置は指紋により認証を行なうもの以外であってもよい。その他、認証装置を外付けにし、認証信号だけをリレー回路に送り込むことで照合することも可能である。これにより光彩認証装置等比較的大きな装置であっても、本人性を高めるために使用することができる。
【００５５】
また、指紋等を確実に読み取ったことを利用者に示し、誤操作を防止するために、外装用ケース等には、省電力で起動可能なＬＥＤを設け、例えば認証ＯＫの場合緑色のＬＥＤを、認証不能の場合に黄色のＬＥＤを点灯させることで認証状態を示すことにより、指紋等を読み取り利用者の認証がなされたことを利用者により確認可能とすることもできる。これらは、指紋読取部に組み込むことも可能である。ＬＥＤについては、例えば電源部による電流をＬＥＤに通すとともに、認証状態については、認証情報の信号を流す信号線を制御部から接続し、認証の可否に応じてＬＥＤを光らせることができる。
【符号の説明】
【００５６】
１、１ａ………収容体
３、３ａ………内装用ケース
４、６、４２、４３………導線
５………外装用ケース
８、１４、４５………端子
９………指紋読取部
１１………電源部
１３………リレー回路
１５………メモリ
１７………制御部
１９………回路基盤
【図１】
0005516285.tif 000002
【図２】
0005516285.tif 000003
【図３】
0005516285.tif 000004
【図４】
0005516285.tif 000005
【図５】
0005516285.tif 000006
【図６】
0005516285.tif 000007
【図７】
0005516285.tif 000008